(57)【要約】      （修正有）【課題】折り畳み構造を備えるトランポリンを提供する。【解決手段】第一セクション１０１、第二セクション１０２を一対の枠フレームヒンジ１１１、１１２を通して回転するように連接する管状枠フレーム、弾性ファブリックを有する。弾性ファブリックは外へと延伸し管状枠フレーム上に設置され、バウンスマットを形成する。管状枠フレームは展開或いは折り畳まれ、管状枠フレーム上に配置する枠フレームヒンジ１１１、１１２を通して、管状枠フレームが展開位置にある時には、第一セクション１０１と第二セクション１０２管状枠フレームは平らで、枠フレームヒンジ１１１、１１２を通して完全な円形を呈する。管状枠フレームが折り畳み位置にある時には、第一セクション１０１と第二セクション１０２管状枠フレームは相互に枠フレームヒンジ１１１、１１２を通して折り畳まれ半円形を形成し、第一セクション１０１と第二セクション１０２管状枠フレームから弾性ファブリックを取り外す必要はない。【選択図】図１Ａ
0003212662.tif 000002
【実用新案登録請求の範囲】
【請求項１】
折り畳み構造を備えるトランポリンであって、一対の枠フレームヒンジを利用し接続する２個のセクション管状枠フレーム、弾性を備えるファブリックを有し、
前記一対の枠フレームヒンジを利用し接続する２個のセクション管状枠フレームの第一セクションと第二セクション管状枠フレームは、半円形式でしっかりと接続し、
前記弾性を備えるファブリックは外へと延伸し、前記管状枠フレームに接続され、バウンスマットを形成し、前記管状枠フレームは、１組の枠フレームヒンジを利用し、折り畳み或いは展開でき、
前記管状枠フレームが展開すると、第一セクションと第二セクションの管状枠フレームは、前記枠フレームヒンジにより平になり、延伸して全円形状を形成し、
該管状枠フレームを折り畳むと、第一セクションと第二セクションの管状枠フレームは、前記枠フレームヒンジにより重なり、前記第一セクションと第二セクション管状枠フレーム上に連接する弾性ファブリックを取り除く必要はないことを特徴とする折り畳み構造を備えるトランポリン。
【請求項２】
前記管状枠フレームの第一セクションと第二セクション管状枠フレームは共に、前端と後端を有し、
前記第一セクション管状枠フレームの前端は、枠フレームヒンジと第二セクション管状枠フレームの前端を通して連接され、第一セクション管状枠フレームの後端は、枠フレームヒンジと第二セクション管状枠フレームの後端により連接されることを特徴とする請求項１に記載の折り畳み構造を備えるトランポリン。
【請求項３】
前記サポートフレームハブは、第一セクション管状枠フレーム、第二セクション管状枠フレーム、ボルト状物を有し、
前記第一セクション管状枠フレームの前端には、取り付けサポートフレームを固定して接続し、前記取り付けサポートフレームは、取り付け用の取り付け孔を有し、
前記第二セクション管状枠フレームの前端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム前端の、第二セクション管状枠フレーム前端への対応を確保することを特徴とする請求項２に記載の折り畳み構造を備えるトランポリン。
【請求項４】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第二セクション管状枠フレームのＵ字型取り付けサポートフレームは、前記第一セクション管状枠フレームのＵ字型取り付けサポートフレームの内側に設置され、こうして二対の取り付け孔は対応し、ボルト状物を通過させられることを特徴とする請求項３に記載の折り畳み構造を備えるトランポリン。
【請求項５】
前記第一セクション管状枠フレームの取り付けサポートフレームは、１組の固定孔を有し、固定栓を通して、第一セクション及び第二セクション管状枠フレームのＵ字型取り付けサポートフレームを緊密に固定し、こうして展開状態を呈することを特徴とする請求項４に記載の折り畳み構造を備えるトランポリン。
【請求項６】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項５に記載の折り畳み構造を備えるトランポリン。
【請求項７】
前記第一セクション管状枠フレームの後端には、取り付けサポートフレームを固定して接続し、前記取り付けサポートフレームは、取り付け用の取り付け孔を有し、
前記第二セクション管状枠フレームの後端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム後端の、第二セクション管状枠フレーム後端への対応を確保することを特徴とする請求項６に記載の折り畳み構造を備えるトランポリン。
【請求項８】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第一セクション管状枠フレームのＵ字型取り付けサポートフレームは、前記第二セクション管状枠フレームのＵ字型取り付けサポートフレームの内側に設置され、こうして二対の取り付け孔は対応し、ボルト状物を通過させられることを特徴とする請求項７に記載の折り畳み構造を備えるトランポリン。
【請求項９】
前記第二セクション管状枠フレームの取り付けサポートフレームは、１組の固定孔を有し、固定栓を通して、第一セクション及び第二セクション管状枠フレームのＵ字型取り付けサポートフレームを緊密に固定し、こうして展開状態を呈することを特徴とする請求項８に記載の折り畳み構造を備えるトランポリン。
【請求項１０】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項９に記載の折り畳み構造を備えるトランポリン。
【請求項１１】
前記トランポリンは、管状枠フレームに連接する少なくとも３個のサポートフレームをさらに有し、トランポリン展開時のサポートを提供し、及びトランポリンとサポート平面の距離を離し、
前記各サポートフレームは、それぞれ中心へと折り畳まれ、しかも管状枠フレームと分離する必要はないことを特徴とする請求項１に記載の折り畳み構造を備えるトランポリン。
【請求項１２】
前記サポートフレームは、前記サポートフレームハブを通して、管状枠フレームの中心へとそれぞれ折り畳まれることを特徴とする請求項１１に記載の折り畳み構造を備えるトランポリン。
【請求項１３】
前記サポートフレームハブは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応して貫通し、
前記ボルトは、一対の取り付け孔と細長管の開口を通過することを特徴とする請求項１２に記載の折り畳み構造を備えるトランポリン。
【請求項１４】
前記取り付けサポートフレームは、Ｕ字型凹槽を有し、これによりサポートフレームは展開状態時にサポートフレームを凹槽内に入れることを特徴とする請求項１３に記載の折り畳み構造を備えるトランポリン。
【請求項１５】
前記サポートフレーム上端には、一対の螺合定位孔を有し、しかも栓を固定し、展開或いは折り畳み状態を形成させ、螺合定位孔の横軸と細長管とは平行で、しかもサポートフレーム上端に設置されることを特徴とする請求項１４に記載の折り畳み構造を備えるトランポリン。
【請求項１６】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項１５に記載の折り畳み構造を備えるトランポリン。
【請求項１７】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項１６に記載の折り畳み構造を備えるトランポリン。
【請求項１８】
折り畳み構造を備えるトランポリンは、堅固な円形管状枠フレーム、弾性を有するファブリックを有し、
前記弾性を有するファブリックは外へと延伸し、前記管状枠フレームに接続され、バウンスマットを形成し、
前記弾性ファブリックの辺縁は、列をなして並ぶベルトリングを有し、前記ベルトリングにはロープを通し引っ張り、前記弾性ファブリックを管状枠フレーム上でしっかりと引っ張るため、一般のトランポリンが必要とする金属スプリングが不要で、
前記管状枠フレームに連接する少なくとも３個のサポートフレームは、トランポリンが展開状態を呈する時のサポートを提供し、及びトランポリンとサポート平面の距離を離し、
トランポリン折り畳み時には、各サポートフレームは、それぞれ中心へと折り畳まれ、しかも管状枠フレームと分離する必要はないことを特徴とする折り畳み構造を備えるトランポリン。
【請求項１９】
前記各サポートフレームは、前記管状枠フレームの取り付けサポートフレーム上に連接され、
トランポリンの折り畳み時には、各サポートフレームは、それぞれ中心へと折り畳まれることを特徴とする請求項１８に記載の折り畳み構造を備えるトランポリン。
【請求項２０】
前記取り付けサポートフレームは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応し、
前記ボルトは、取り付けサポートフレームの取り付け孔と細長管の開口を通過することを特徴とする請求項１９に記載の折り畳み構造を備えるトランポリン。
【請求項２１】
前記取り付けサポートフレームは、Ｕ字型凹槽を有し、これにより前記サポートフレームが展開状態を呈する時には、サポートフレームを凹槽内に入れることを特徴とする請求項２０に記載の折り畳み構造を備えるトランポリン。
【請求項２２】
前記取り付けサポートフレーム上端には、一対の螺合定位孔を有し、これにより栓を固定し、サポートフレームを展開状態或いは折り畳み状態に固定し、螺合定位孔横断面と細長管とは平行で、取り付けサポートフレーム上端に設置されることを特徴とする請求項２１に記載の折り畳み構造を備えるトランポリン。
【請求項２３】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項２２に記載の折り畳み構造を備えるトランポリン。
【請求項２４】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項２３に記載の折り畳み構造を備えるトランポリン。
【考案の詳細な説明】
【技術分野】
【０００１】
本考案は身体能力鍛錬器材に関し、特に折り畳み構造を備えるトランポリンに関する。
【背景技術】
【０００２】
フィットネスが生活の質を高めるということに、人々は気づき始め、それに伴いフィットネス器材の人気も高まっている。しかし、フィットネス器材と言っても、空手で行う腹筋運動は、体重過多、或いは中高年にとっては、運動障害を引き起こす恐れがある。さらに、腹筋運動は単調であるため、使用者の意欲が続かないという問題もある。また、市販のフィットネス器材には、広いスペースを必要とするのでなければ、非常に高価だという現実もある。さらに、家族の年齢、身体能力、室内スペース、単一機能性、及び訓練課程の長さと性質等、考慮すべき問題も色々に存在する。
トランポリンなどのバウンス器材の多くは、身体のある部位の訓練に用いられる。多くのトランポリンは固定の形式で、収納には一定の空間が必要である。スペースを節約するため、使用者は分解し分けて収納しようと考えるが、分解過程は面倒で時間がかかるばかりか、再び組み立てる際にも一定の時間と労力を必要とする。
【考案の概要】
【考案が解決しようとする課題】
【０００３】
前記先行技術には、スペースを節約するため分解し収納しようとすれば、分解過程は面倒で時間がかかるばかりか、再び組み立てる際にも一定の時間と労力を必要とする欠点がある。本考案は折り畳み構造を備えるトランポリンに関する。本願発明は前記の欠点を解消した。
【課題を解決するための手段】
【０００４】
本考案による折り畳み構造を備えるトランポリンなどのバウンスフィットネス器材は、一対の枠フレームヒンジを利用し接続する２個のセクション管状枠フレームを有する。第一セクション及び第二セクション管状枠フレームは、半円形式でしっかりと接続する。トランポリンは、弾性を備えるファブリックをさらに有する。該弾性を備えるファブリックは、該管状枠フレームを外へと延伸し、トランポリンマット或いはジャンプマットを形成する。該管状枠フレームは、１組の枠フレームヒンジを利用し、折り畳み或いは展開する。該管状枠フレームが展開すると、第一セクションと第二セクション管状枠フレームは、該枠フレームヒンジにより平らになり、延伸して完全な円形を形成する。該管状枠フレームを折り畳むと、第一セクションと第二セクション管状枠フレームは、該枠フレームヒンジにより重なるため、第一セクションと第二セクション管状枠フレーム上に連接する弾性ファブリックを取り外す必要はない。トランポリンは、管状枠フレームに連接する少なくとも３個のサポートフレームをさらに有し、サポートを提供し、及びトランポリンと床面などのサポート平面との距離を開く。実施形態において、各サポートフレームは、サポートフレームハブを利用し、管状枠フレームを連接する。各サポートフレームは、相互に対応するサポートフレームハブにより、中心へと、折り畳まれる。
【０００５】
別種の実施形態において、トランポリンは、完全な円形の管状枠フレーム及び弾性を備えるファブリックを有する。該弾性を備えるファブリックは、管状枠フレームを外へと延伸し、トランポリンマット或いはジャンプマットを形成する。該弾性ファブリックの辺縁は、列をなして並ぶベルトリングを有する。該ベルトリング中にはロープを挿入し引っ張り、該弾性ファブリックを管状枠フレーム上でしっかりと張る助けをする。こうして、一般のトランポリンが必要とする金属スプリングを不要とできる。トランポリンは、管状枠フレームに連接する少なくとも３個のサポートフレームをさらに有し、サポートを提供し、及びトランポリンと床面などのサポート平面との距離を開く。各サポートフレームは、それぞれ中心へと折り畳み、しかも管状枠フレームと分離する必要はない。
【考案の効果】
【０００６】
本考案は、第一セクション、第二セクションを一対の枠フレームヒンジを通して回転するように連接する管状枠フレーム、弾性ファブリックを有する。弾性ファブリックは外へと延伸し管状枠フレーム上に設置され、バウンスマットを形成する。管状枠フレームは展開或いは折り畳まれ、管状枠フレーム上に配置する枠フレームヒンジを通して、管状枠フレームが展開位置にある時には、第一セクションと第二セクション管状枠フレームは平らで、枠フレームヒンジを通して完全な円形を呈する。管状枠フレームが折り畳み位置にある時には、第一セクションと第二セクション管状枠フレームは相互に枠フレームヒンジを通して折り畳まれ半円形を形成し、第一セクションと第二セクション管状枠フレームから弾性ファブリックを取り外す必要はない。
【図面の簡単な説明】
【０００７】
【図１Ａ】本考案によるトランポリンの立体図である。
【図１Ｂ】本考案によるトランポリンの立体図である。
【図２】本考案底部の特定視角の立体図である。
【図３】本考案の上方俯視図である。
【図４Ａ】本考案の側面図である。
【図４Ｂ】本考案の側面図である。
【図５】本考案底部の底視図である。
【図６】本考案特定視角の折り畳み時の立体図である。
【図７Ａ】本考案の折り畳み時の上方の俯視図である。
【図７Ｂ】本考案の折り畳み時の底部の底視図である。
【図８Ａ】本考案の折り畳み時の側面図である。
【図８Ｂ】本考案の折り畳み時の側面図である。
【図８Ｃ】本考案の折り畳み時の側面図である。
【図９Ａ】本考案の分解図である。
【図９Ｂ】本考案の分解図である。
【図１０】本考案の特定視角の立体図である。
【図１１Ａ】本考案の特定視角の折り畳み時の立体図である。
【図１１Ｂ】本考案の特定視角の折り畳み時の立体図である。
【図１２Ａ】本考案の別種の実施形態の分解図である。
【図１２Ｂ】本考案の別種の実施形態の分解図である。
【図１３】本考案の金属スプリング未使用の特定視角の立体図である。
【図１４】本考案の金属スプリング未使用の特定視角の分解図である。
【図１５】本考案のさらに別種の実施形態の特定視角の立体図である。
【図１６】本考案のさらに別種の実施形態の折り畳み時の底部の特定視角の立体図である。
【図１７】本考案のさらに別種の実施形態の特定視角の分解図である。
【考案を実施するための形態】
【０００８】
以下の説明中では、混乱を避けるため、公知の構成部材或いは方法について詳細な記載は行わない。以下に記載する実施形態は、本考案を制限するものではなく、異なる物件に対する応用を説明するものである。よって、記載する詳細は実施形態に過ぎず、簡易な修正や改変は本考案の構想と範囲の内に含むものとする。
【０００９】
説明中の「実施形態において」とは特定機能、構造或いは特徴を含み、本考案の例において出現する。「実施形態において」という言い方は、説明中の各部分で出現するが、同様の出現を指すものとは限らない。
【００１０】
図１Ａ、図１Ｂは、トランポリンの俯視立体図である。図１Ａ、図１Ｂに示す通り、トランポリン１００は、一対の枠フレームヒンジ１１１、１１２を利用して連接する第一セクション１０１と第二セクション１０２管状枠フレームを有する。本実施形態において、管状枠フレームは、完全な円形である。実施形態において、第一セクション１０１と第二セクション１０２の管状枠フレームは、金属ボルト或いは金属鋼管（或いは十分に堅固なメタルグラスファイバー等）を利用し成形し、或いは半円状に湾曲させる。本実施形態において、第一セクション１０１と第二セクション１０２の管状枠フレームは、半円形であるが、矩形、正方形、楕円形等の他の形状とすることができる。
【００１１】
実施形態において、トランポリン１００は、堅固なファブリック１０４（例えば、キャンパス地）を有し、延伸して、第一セクション１０１と第二セクション１０２の管状枠フレームに固定され、バウンスマット或いはジャンプマット（トランポリンマットともいう）を形成する。ファブリック１０４の形状は、管状枠フレームに応じて変える。本実施形態において、ファブリック１０４の直径は、管状枠フレームの円形より小さい。よって、ファブリック１０４は、第一セクション１０１と第二セクション１０２の管状枠フレーム間に配置され、枠フレーム全体を覆うのではない。
【００１２】
トランポリン１００は、管状枠フレームに均一に分布する少なくとも３個のサポートフレーム１０３を有し、第一セクション１０１と第二セクション１０２管状枠フレームにサポートを提供する。実施形態において、各サポートフレーム１０３は、第一セクション１０１或いは第二セクション１０２管状枠フレーム上に垂直に取り付けられ、第一セクション１０１と第二セクション１０２管状枠フレームに類似する。サポートフレーム１０３は、管状で、しかも材質が堅固な金属（金属管ガラスファイバー等）で、使用者の重量を支えることができる。実施形態において、各サポートフレーム１０３は、金属鋼ボルト或いは金属鋼管である。実施形態において、サポートフレーム１０３は上方で螺合の方式を利用し分離し、或いは管状枠フレームを連接する。サポートフレーム１０３下方には、キャップ１２２を有し、キャップ１２２は、滑り止め材質で、これにより地面に対する摩擦力を拡大し、或いは床面への傷を回避できる。
【００１３】
実施形態において、トランポリン１００は、ファブリック辺縁１０５とファブリック１０４に均一に配列して分布するベルトリングとフックを有する。例えば、ベルトリング或いはフック１０６は、安全などに考慮し、ファブリック１０４のファブリック辺縁１０５の色と他の部分とは、異なる色とできる。ファブリック辺縁１０５の厚みを増し、これにより強度を高め、ベルトリングとフックとロープ１０７は外へとファブリック１０４を引っ張り、張力表面を形成する。トランポリン１００はロープ１０７をさらに有し、ロープ１０７は各ベルトリングとフックを通過する。ファブリック１０４の直径は、管状枠フレームの直径よりやや小さい。ファブリック１０４は、ベルトリングとフックにより外へと管状枠フレームまで引っ張られ、張力平面を形成すると、ロープ１０７は、第一セクション１０１と第二セクション１０２の管状枠フレームに巻きつけられるため、ベルトリング或いはフック１０６は耐磨と耐熱材料により構成される。
ベルトリングとフックは、機器を利用して、ファブリック１０４のファブリック辺縁１０５に縫い付けられる。ロープ１０７は、耐磨耐熱材質のゴムチューブ或いはゴムロープである。使用者がファブリック１０４上に立つと、ロープの張力は、引力を提供し、しかもエネルギーを受け止めることができる。一般のトランポリンとは異なり、図１Ａ、図１Ｂに示す通り、高価、或いは重い、或いは損壊及び離脱しやすい金属スプリング或いはコイルを使用する必要がない。反対に、ロープ１０７は外へとファブリック１０４を引っ張り、第一セクション１０１と第二セクション１０２の管状枠フレームに連接するため、より容易で、しかも安全に分解できる。
【００１４】
図１Ｂに示す通り、実施形態において、１組の枠フレームヒンジ１１１、１１２を利用し、第一セクション１０１と第二セクション１０２管状枠フレームを組み立て、直径１１３を約３６、３８或いは４０インチとする。トランポリン１００の高さ１１４はおおよそ８インチで、第一セクション１０１と第二セクション１０２の管状枠フレームの直径１１５はおおよそ１インチで、サポートフレーム１０３の直径１１６はおおよそ１インチである。しかし、他のサイズ、形状とすることもできる。
図２は、本考案の底部特定視角の俯視立体図である。図３は、本考案の上方俯視図である。
図４Ａ、図４Ｂは、本考案の側視図である。図５は、本考案の底部視図である。
【００１５】
実施形態に示す通り、サポートフレーム１０３が、第一セクション１０１と第二セクション１０２の管状枠フレームから分離後、枠フレームヒンジ１１１、１１２を利用し、第一セクション１０１と第二セクション１０２管状枠フレームを相対的に折り畳む。図４Ｂは、トランポリンの側視図である。第一セクション１０１と第二セクション１０２管状枠フレームは、枠フレームヒンジ１１２、１１１（図示なし）を通して、方向１１８と方向１１９へ向かい下方へと折り畳まれる。
【００１６】
図６は、本考案の特定視角折り畳み時の立体図である。実施形態に示す通り、各第一セクション１０１と第二セクション１０２の管状枠フレームは共に、１個或いは多数のサポートフレームコネクター或いは挿入台１２１を連接する。サポートフレームコネクター或いは挿入台１２１は、サポートフレーム１０３に緊密に固定し、或いは分離される。サポートフレームコネクター或いは挿入台は、ネジ孔を有し、これによりサポートフレーム１０３は螺合と取り外しに有利である。サポートフレームを取り外し後、サポートフレームコネクター或いは挿入台１２１も分離でき、こうして第一セクション１０１及び第二セクション１０２の管状枠フレームと傷つけ合うことを回避できる。トランポリンが図６に示す通り折り畳み状態にあると、トランポリンは半円形を呈し、收納或いは運搬に便利である。折り畳み構造において、ファブリック１０４上表面（例えば、使用者に向かう面）は内側を向き、ファブリック１０４下表面（例えば、サポート面或いはフロアに向かう面）は外側を向く。
【００１７】
図７Ａは、本考案折り畳み時の上方の俯視図である。図７Ｂは、本考案折り畳み時の底部の俯視図である。図８Ａ、図８Ｃは、本考案折り畳み時の側面図である。図９Ａ、図９Ｂは、本考案の分解図である。図９Ｂは、図９Ａを拡大した局部分解図である。
第一セクション１０１の管状枠フレームは、枠フレームヒンジ１１１を通して、前端１３１と後端１３２を旋回連接する。これに類似し、第二セクション１０２の管状枠フレームは、枠フレームヒンジ１１２を通して、前端１３３と後端１３４を旋回連接する。そのため、第一セクション１０１と第二セクション１０２管状枠フレームは相互旋回が可能で、こうしてトランポリンは展開或いは折り畳み状態となる。
【００１８】
実施形態において、第一セクション１０１管状枠フレームの前端１３１には、取り付けサポートフレーム１４１を固定して接続する。取り付けサポートフレーム１４１は、取り付け用の取り付け孔を有する。これに類似し、第二セクション１０２管状枠フレームの前端１３３にも、取り付けサポートフレーム１４２を固定して設置する。取り付けサポートフレーム１４２も、取り付け用の取り付け孔を有する。第一セクション１０１管状枠フレーム前端１３１取り付けサポートフレーム１４１の取り付け孔は、第二セクション１０２管状枠フレーム前端１３３取り付けサポートフレーム１４２の取り付け孔に対応できるため、これによりボルト状物を挿入し、ナットで緊密に固定することができる。
【００１９】
これに類似し、第一セクション１０１管状枠フレーム後端１３２には、取り付けサポートフレーム１４３を固定して接続する。取り付けサポートフレーム１４３は、取り付け用の取り付け孔を有する。これに類似し、第二セクション１０２管状枠フレーム後端１３４には、取り付け用の取り付けサポートフレーム１４３を固定して接続する。取り付けサポートフレーム１４３は、取り付け孔を有する。第一セクション１０１管状枠フレーム後端１３２取り付けサポートフレーム１４３の取り付け孔は、第二セクション１０２管状枠フレーム後端１３４取り付けサポートフレーム１４４の取り付け孔に対応できるため、これによりボルト状物を挿入し、ナットで緊密に固定することができる。
【００２０】
図９Ｂに示す実施形態では、取り付けサポートフレーム１４１は、Ｕ字型で、Ｕ字型取り付けサポートフレーム１４１の両翼上において、一対の取り付け孔１５１を有する。実施形態において、Ｕ字型取り付けサポートフレーム１４１の外表頂部は、溶接或いは熔接を通して、第一セクション１０１管状枠フレーム前端１３１に固定される。これに類似し、取り付けサポートフレーム１４２はＵ字型で、Ｕ字型取り付けサポートフレーム１４２両翼上に、一対の取り付け孔１５２を有する。実施形態において、Ｕ字型取り付けサポートフレーム１４２の内底部は、第二セクション１０２管状枠フレーム前端１３３に固定される。Ｕ字型取り付けサポートフレーム１４２の内底端は、第二セクション１０２管状枠フレームの前端１３３に密着し、前端１３３は、Ｕ型取り付けサポートフレーム１４２内底端に溶接或いは熔接される。
【００２１】
実施形態において、取り付けサポートフレーム１４１は、取り付けサポートフレーム１４２上に嵌めて設置される。これにより、取り付け孔１５１と取り付け孔１５２は対応する。
対応した取り付け孔１５１、１５２には、回転ボルト１５３を挿入し、ナット１５４を用いて固定し、枠フレームヒンジ１１１を形成する。よって、第一セクション１０１管状枠フレームの前端１３１と第二セクション１０２管状枠フレーム前端１３３とは、枠フレームヒンジ１１１を通して、下方へと旋回して折り畳まれる。実施形態に示す通り、取り付けサポートフレーム１４２は、１組の固定孔１５５をさらに有し、栓１６６などの固定栓を通し、第一セクション１０１管状枠フレームの前端１３１と第二セクション１０２管状枠フレームの前端１３３を緊密に固定し、こうして展開時の固定とする。
【００２２】
実施形態において、取り付けサポートフレーム１４４は、Ｕ字型で、取り付けサポートフレーム１４４両翼上に一対の取り付け孔１６１を有する。実施形態において、Ｕ字型取り付けサポートフレーム１４４の外表頂部は、第二セクション１０２管状枠フレーム後端１３４を溶接或いは熔接を通して固定する。これに類似し、取り付けサポートフレーム１４３は、Ｕ字型で、取り付けサポートフレーム１４３両翼上に一対の取り付け孔１６２を有する。実施形態において、Ｕ字型取り付けサポートフレーム１４３の内底部は、第一セクション１０１管状枠フレーム後端１３２に固定される。Ｕ字型取り付けサポートフレーム１４３の内底端は、第一セクション１０１管状枠フレームの後端１３２に密着し、後端１３２は、Ｕ型サポートフレーム１４３内底端に溶接或いは熔接される。
【００２３】
実施形態において、取り付けサポートフレーム１４４は、取り付けサポートフレーム１４３上に嵌めて設置される。これにより、取り付け孔１６１と取り付け孔１６２は対応し、対応した取り付け孔１６１、１６２には、回転ボルト１６３を挿入し、ナット１６４を用いて緊密に固定し、枠フレームヒンジ１１２を形成する。よって、第一セクション１０１管状枠フレームの後端１３２と第二セクション１０２管状枠フレーム後端１３４は、枠フレームヒンジ１１２を通して下方へと旋回して折り畳まれる。実施形態に示す通り、取り付け孔１６２は、１組の固定孔１６５をさらに有し、栓１６６などの固定栓を挿入して固定され、第一セクション１０１の後端１３２と第二セクション１０２の後端１３４に緊密に固定され、こうして展開時の固定とする。栓１６６は、前端にネジヤマを有し、反対はプラグツイスト１６８で、使用者は栓１６６を回すことで、取り付けサポートフレーム１４３、１４４を緩め、或いは緊密に固定することができる。
【００２４】
別種の実施形態において、第一セクション１０１、第二セクション１０２管状枠フレームが折り畳み可能なほかに、サポートフレーム１０３も折り畳み可能である。各サポートフレーム１０３は、管状枠フレーム中心内部へと折り畳まれ、しかも管状枠フレームから分離する必要はない。各サポートフレーム１０３は、サポートフレームハブを利用し、管体と対応し、これによりサポートフレームは内側へと折り畳まれ、管状枠フレームから分離する必要はない。
【００２５】
図１０は、本考案別種の実施形態の特定視角の立体図である。図１０に示す通り、図１Ａ、図１Ｂのトランポリンに類似し、トランポリン２００は、第一セクション１０１と第二セクション１０２管状枠フレームを有し、一対の枠フレームヒンジ１１１、１１２を通して接続される。他の部分も上記と同様で、しかも相同の符号を用いて標示する。実施形態に示す通り、各サポートフレーム１０３は、相互に対応するサポートフレームハブ２０１と第一セクション１０１と第二セクション１０２管状枠フレームを通して連接される。サポートフレームハブ２０１は、管状枠フレームに固定して連接され、これによりサポートフレーム１０３を取り外さなくとも内側へと折り畳むことができる。図１０に示す通り、サポートフレーム１０３が展開状態にある時には、サポートフレーム１０３の長軸線は、管状枠フレームの横断面に垂直である。サポートフレーム１０３が折り畳み状態にある時には、サポートフレーム１０３の長軸線は、管状枠フレームの横断面に平行である（図１６参照）。
図１１Ａ、図１１Ｂは、本考案特定部位の折り畳み時の立体図である。図１１Ｂのトランポリンの立体図に示す通り、サポートフレーム１０３は折り畳み形態で、しかも折り畳み部分の第一セクション１０１、第二セクション１０２管状枠フレームのファブリック１０４の間に位置する。
【００２６】
図１２Ａ、図１２Ｂは、本考案の分解図である。図１２Ａに示す通り、トランポリンは、一対の枠フレームヒンジ１１１、１１２を利用し連接する第一セクション１０１と第二セクション１０２管状枠フレームを有する。各サポートフレーム１０３は、サポートフレームハブ２０１を通して、管状枠フレーム上で旋回可能である。各サポートフレームハブ２０１は、管状枠フレーム下に付着し、これによりサポートフレーム１０３は現展開状態（例えば図１０に示す通り、管状枠フレームの横断面に垂直）或いは折り畳み状態（例えば図１６に示す通り、管状枠フレームの横断面に平行）を呈する。
【００２７】
図１２Ｂは、図１２Ａを拡大した局部分解図である。各サポートフレームハブ２０１は、取り付けサポートフレーム２０２を有する。取り付けサポートフレーム２０２は、取り付け孔２０３を有する。サポートフレーム１０３上端には、開口を有する細長管２２１を有する。細長管２２１は、サポートフレーム１０３上端に溶接される。細長管２２１の開口と取り付け孔２０３とが対応すると、ボルト２０４は、取り付け孔２０３を通過し、細長管２２１とサポートフレームハブ２０１を形成する。ボルト２０４は、ネジヤマを有し、ナット２０５に緊密に固定される。サポートフレームハブ２０１により、サポートフレーム１０３は、管状枠フレーム中心へと折り畳まれる。
【００２８】
図１２Ｂ実施形態において、取り付けサポートフレーム２０２は、Ｕ型取り付けフレーム片で、しかも凹部を有し、これによりサポートフレーム１０３をその中に入れることができる。
取り付け孔２０３は、一対の取り付け孔を有し、これによりボルト２０４を挿入することができる。取り付けサポートフレーム２０２は、第一対応螺合定位孔２１１と第二対応螺合定位孔２１２を有する。各サポートフレーム１０３は、一対の螺合定位孔２２２を有し、サポートフレーム１０３上端に位置する。
【００２９】
実施形態において、サポートフレーム１０３が、取り付け孔２０３とボルト２０４により細長管２２１に挿入され、取り付けサポートフレーム２０２に連接されると、螺合定位孔２１１或いは２１２には栓２１３を固定して挿入できる。螺合定位孔２２２にサポートフレーム１０３を固定することで、展開或いは折り畳み状態を形成し、細長管２２１の軸線と螺合定位孔２２２とは平行となる。実施形態において、サポートフレーム１０３が展開位置にある時、サポートフレーム１０３の細長管２２１開口は、取り付けサポートフレーム２０２の取り付け孔２０３と対応すると同時に、螺合定位孔２２２も、取り付けサポートフレーム２０２上の螺合定位孔２１１と対応する。サポートフレーム１０３が折り畳み位置にある時、サポートフレーム１０３の細長管２２１開口は、取り付けサポートフレーム２０２の取り付け孔２０３と対応すると同時に、螺合定位孔２２２も、取り付けサポートフレーム２０２上の螺合定位孔２１２と対応する。
【００３０】
上記の実施形態に示す通り、本考案のトランポリンは、弾性ファブリックを有し、しかも一列をなして並ぶベルトリングをファブリック辺縁に設置し、及びロープを用いてベルトリングを緊密に引き、ファブリックと管状枠フレームの両方をつなぐため、金属スプリング等を使用する必要がない。図１３は、本考案金属スプリング未使用の立体図である。図１３に示す通り、トランポリン３００は、管状枠フレーム３０１を有する。その構造は、前記の管状枠フレームと相似している（例えば、第一セクション１０１と第二セクション１０２管状枠フレーム）。他の部分と物件が、前記と相似しているなら、相同の符号を用いて標記する。よって、前記の図の説明は以下にも適用される。本実施形態において、トランポリン３００は折り畳み不能であるが、その長所は、従来のトランポリンのように金属スプリングを用いる必要がない。
図１４は、本考案図１３の分解図である。
【００３１】
実施形態に示す通り、前記折り畳み可能なトランポリンの構造は、この折り畳み不能なサポートフレームのトランポリンにも適用することができる。図１５は、本考案実施形態の立体図である。図１５に示す通り、トランポリン４００は、折り畳み不能な管状枠フレーム３０１を有する。トランポリン４００は、サポートフレーム１０３を有し、サポートフレームハブ２０１を利用して管状枠フレーム３０１を連結する。上述と同様、サポートフレームハブ２０１は、トランポリン４００に適用される。図１６は、本考案特定角度の実施形態立体図である。
図１７は、本考案の分解図である。明細書全体において、部分が異なっても、相当の図を用いた記載はすべて相互に通用するので、注意されたい。
【００３２】
本考案の多くの修飾と具体化はこの領域の技術者により容易に本考案を理解させられ、これにより本考案は特定の実施例或いは上述の実施例の修飾に限定されず、且つ本文に採用される特定の用語は、ただ記述を容易とするためのものであって、制限を加えるためのものではない。
【符号の説明】
【００３３】
１００、３００、４００  トランポリン
１０１  第一セクション
１０２  第二セクション
１０３  サポートフレーム
１０４  ファブリック
１０５  ファブリック辺縁
１０６  ベルトリング或いはフック
１０７  ロープ
１１１、１１２  枠フレームヒンジ
１１３  直径
１１４  高さ
１１８、１１９  方向
１２１  サポートフレームコネクター或いは挿入台
１２２  キャップ
１３１、１３３  前端
１３２、１３４  後端
１４１、１４２、１４３、１４４、２０２  取り付けサポートフレーム
１５１、１５２、１６１、１６２、２０３  取り付け孔
１５３、１６３  回転ボルト
１５４、１６４、２０５  ナット
１５５、１６５  固定孔
１６６、２１３  栓
２０１  サポートフレームハブ
２０４  ボルト
２１１、２１２、２２２  螺合定位孔
２２１  細長管
３０１  管状枠フレーム
【図１Ａ】
0003212662.tif 000003
【図１Ｂ】
0003212662.tif 000004
【図２】
0003212662.tif 000005
【図３】
0003212662.tif 000006
【図４Ａ】
0003212662.tif 000007
【図４Ｂ】
0003212662.tif 000008
【図５】
0003212662.tif 000009
【図６】
0003212662.tif 000010
【図７Ａ】
0003212662.tif 000011
【図７Ｂ】
0003212662.tif 000012
【図８Ａ】
0003212662.tif 000013
【図８Ｂ】
0003212662.tif 000014
【図８Ｃ】
0003212662.tif 000015
【図９Ａ】
0003212662.tif 000016
【図９Ｂ】
0003212662.tif 000017
【図１０】
0003212662.tif 000018
【図１１Ａ】
0003212662.tif 000019
【図１１Ｂ】
0003212662.tif 000020
【図１２Ａ】
0003212662.tif 000021
【図１２Ｂ】
0003212662.tif 000022
【図１３】
0003212662.tif 000023
【図１４】
0003212662.tif 000024
【図１５】
0003212662.tif 000025
【図１６】
0003212662.tif 000026
【図１７】
0003212662.tif 000027
【手続補正書】
【提出日】平成29年6月13日(2017.6.13)
【手続補正１】
【補正対象書類名】実用新案登録請求の範囲
【補正対象項目名】全文
【補正方法】変更
【補正の内容】
【実用新案登録請求の範囲】
【請求項１】
折り畳み構造を備えるトランポリンであって、一対の枠フレームヒンジを利用し接続する２個のセクション管状枠フレーム、弾性を備えるファブリックを有し、
前記一対の枠フレームヒンジを利用し接続する２個のセクション管状枠フレームの第一セクション管状枠フレームと第二セクション管状枠フレームは、半円形式でしっかりと接続し、
前記弾性を備えるファブリックは外へと延伸し、前記管状枠フレームに接続され、バウンスマットを形成し、前記管状枠フレームは、１組の枠フレームヒンジを利用し、折り畳み或いは展開でき、
前記管状枠フレームが展開すると、前記第一セクション管状枠フレームと前記第二セクション管状枠フレームは、前記枠フレームヒンジにより平になり、延伸して全円形状を形成し、
該管状枠フレームを折り畳むと、前記第一セクション管状枠フレームと前記第二セクション管状枠フレームは、前記枠フレームヒンジにより重なり、前記第一セクション管状枠フレームと前記第二セクション管状枠フレーム上に連接する弾性ファブリックを取り除く必要はないことを特徴とする折り畳み構造を備えるトランポリン。
【請求項２】
前記管状枠フレームの前記第一セクション管状枠フレームと前記第二セクション管状枠フレームは共に、前端と後端を有し、
前記第一セクション管状枠フレームの前端は、枠フレームヒンジと前記第二セクション管状枠フレームの前端を通して連接され、前記第一セクション管状枠フレームの後端は、枠フレームヒンジと前記第二セクション管状枠フレームの後端により連接されることを特徴とする請求項１に記載の折り畳み構造を備えるトランポリン。
【請求項３】
サポートフレームハブは、第一セクション管状枠フレーム、第二セクション管状枠フレーム、ボルト状物を有し、
前記第一セクション管状枠フレームの前端には、取り付けサポートフレームを固定して接続し、前記取り付けサポートフレームは、取り付け用の取り付け孔を有し、
前記第二セクション管状枠フレームの前端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム前端の、第二セクション管状枠フレーム前端への対応を確保することを特徴とする請求項２に記載の折り畳み構造を備えるトランポリン。
【請求項４】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第二セクション管状枠フレームのＵ字型取り付けサポートフレームは、前記第一セクション管状枠フレームのＵ字型取り付けサポートフレームの内側に設置され、こうして二対の取り付け孔は対応し、ボルト状物を通過させられることを特徴とする請求項３に記載の折り畳み構造を備えるトランポリン。
【請求項５】
前記第一セクション管状枠フレームの取り付けサポートフレームは、１組の固定孔を有し、固定栓を通して、第一セクション管状枠フレーム及び第二セクション管状枠フレームのＵ字型取り付けサポートフレームを緊密に固定し、こうして展開状態を呈することを特徴とする請求項４に記載の折り畳み構造を備えるトランポリン。
【請求項６】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項５に記載の折り畳み構造を備えるトランポリン。
【請求項７】
前記第一セクション管状枠フレームの後端には、取り付けサポートフレームを固定して接続し、前記取り付けサポートフレームは、取り付け用の取り付け孔を有し、
前記第二セクション管状枠フレームの後端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム後端の、第二セクション管状枠フレーム後端への対応を確保することを特徴とする請求項６に記載の折り畳み構造を備えるトランポリン。
【請求項８】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第一セクション管状枠フレームのＵ字型取り付けサポートフレームは、前記第二セクション管状枠フレームのＵ字型取り付けサポートフレームの内側に設置され、こうして二対の取り付け孔は対応し、ボルト状物を通過させられることを特徴とする請求項７に記載の折り畳み構造を備えるトランポリン。
【請求項９】
前記第二セクション管状枠フレームの取り付けサポートフレームは、１組の固定孔を有し、固定栓を通して、第一セクション管状枠フレーム及び第二セクション管状枠フレームのＵ字型取り付けサポートフレームを緊密に固定し、こうして展開状態を呈することを特徴とする請求項８に記載の折り畳み構造を備えるトランポリン。
【請求項１０】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項９に記載の折り畳み構造を備えるトランポリン。
【請求項１１】
前記トランポリンは、管状枠フレームに連接する少なくとも３個のサポートフレームをさらに有し、トランポリン展開時のサポートを提供し、及びトランポリンとサポート平面の距離を離し、
前記各サポートフレームは、それぞれ中心へと折り畳まれ、しかも管状枠フレームと分離する必要はないことを特徴とする請求項１に記載の折り畳み構造を備えるトランポリン。
【請求項１２】
サポートフレームは、前記サポートフレームハブを通して、管状枠フレームの中心へとそれぞれ折り畳まれることを特徴とする請求項１１に記載の折り畳み構造を備えるトランポリン。
【請求項１３】
前記サポートフレームハブは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応して貫通し、
前記ボルトは、一対の取り付け孔と細長管の開口を通過することを特徴とする請求項１２に記載の折り畳み構造を備えるトランポリン。
【請求項１４】
前記取り付けサポートフレームは、Ｕ字型凹槽を有し、これによりサポートフレームは展開状態時にサポートフレームを凹槽内に入れることを特徴とする請求項１３に記載の折り畳み構造を備えるトランポリン。
【請求項１５】
前記サポートフレーム上端には、一対の螺合定位孔を有し、しかも栓を固定し、展開或いは折り畳み状態を形成させ、螺合定位孔の横軸と細長管とは平行で、しかもサポートフレーム上端に設置されることを特徴とする請求項１４に記載の折り畳み構造を備えるトランポリン。
【請求項１６】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項１５に記載の折り畳み構造を備えるトランポリン。
【請求項１７】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項１６に記載の折り畳み構造を備えるトランポリン。
【請求項１８】
折り畳み構造を備えるトランポリンは、堅固な円形管状枠フレーム、弾性を有するファブリックを有し、
前記弾性を有するファブリックは外へと延伸し、前記円形管状枠フレームに接続され、バウンスマットを形成し、
前記弾性を有するファブリックの辺縁は、列をなして並ぶベルトリングを有し、前記ベルトリングにはロープを通し引っ張り、前記弾性ファブリックを管状枠フレーム上でしっかりと引っ張るため、一般のトランポリンが必要とする金属スプリングが不要で、
前記管状枠フレームに連接する少なくとも３個のサポートフレームは、トランポリンが展開状態を呈する時のサポートを提供し、及びトランポリンとサポート平面の距離を離し、
トランポリン折り畳み時には、各サポートフレームは、それぞれ中心へと折り畳まれ、しかも管状枠フレームと分離する必要はないことを特徴とする折り畳み構造を備えるトランポリン。
【請求項１９】
前記各サポートフレームは、前記管状枠フレームの取り付けサポートフレーム上に連接され、
トランポリンの折り畳み時には、各サポートフレームは、それぞれ中心へと折り畳まれることを特徴とする請求項１８に記載の折り畳み構造を備えるトランポリン。
【請求項２０】
前記取り付けサポートフレームは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応し、
前記ボルトは、取り付けサポートフレームの取り付け孔と細長管の開口を通過することを特徴とする請求項１９に記載の折り畳み構造を備えるトランポリン。
【請求項２１】
前記取り付けサポートフレームは、Ｕ字型凹槽を有し、これにより前記サポートフレームが展開状態を呈する時には、サポートフレームを凹槽内に入れることを特徴とする請求項２０に記載の折り畳み構造を備えるトランポリン。
【請求項２２】
前記取り付けサポートフレーム上端には、一対の螺合定位孔を有し、これにより栓を固定し、サポートフレームを展開状態或いは折り畳み状態に固定し、螺合定位孔横断面と細長管とは平行で、取り付けサポートフレーム上端に設置されることを特徴とする請求項２１に記載の折り畳み構造を備えるトランポリン。
【請求項２３】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項２２に記載の折り畳み構造を備えるトランポリン。
【請求項２４】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項２３に記載の折り畳み構造を備えるトランポリン。
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
折り畳み構造を備えるトランポリンであって、一対の枠フレームヒンジを利用し接続する２個のセクション管状枠フレーム、弾性を備えるファブリックを有し、
前記一対の枠フレームヒンジを利用し接続する２個のセクション管状枠フレームの第一セクション管状枠フレームと第二セクション管状枠フレームは、半円形式でしっかりと接続し、
前記弾性を備えるファブリックは外へと延伸し、前記管状枠フレームに接続され、バウンスマットを形成し、前記管状枠フレームは、１組の枠フレームヒンジを利用し、折り畳み或いは展開でき、
前記管状枠フレームが展開すると、前記第一セクション管状枠フレームと前記第二セクション管状枠フレームは、前記枠フレームヒンジにより平になり、延伸して全円形状を形成し、
該管状枠フレームを折り畳むと、前記第一セクション管状枠フレームと前記第二セクション管状枠フレームは、前記枠フレームヒンジにより重なり、前記第一セクション管状枠フレームと前記第二セクション管状枠フレーム上に連接する弾性ファブリックを取り除く必要はないことを特徴とする折り畳み構造を備えるトランポリン。
【請求項２】
前記管状枠フレームの前記第一セクション管状枠フレームと前記第二セクション管状枠フレームは共に、前端と後端を有し、
前記第一セクション管状枠フレームの前端は、枠フレームヒンジと前記第二セクション管状枠フレームの前端を通して連接され、前記第一セクション管状枠フレームの後端は、枠フレームヒンジと前記第二セクション管状枠フレームの後端により連接されることを特徴とする請求項１に記載の折り畳み構造を備えるトランポリン。
【請求項３】
サポートフレームハブは、第一セクション管状枠フレーム、第二セクション管状枠フレーム、ボルト状物を有し、
前記第一セクション管状枠フレームの前端には、取り付けサポートフレームを固定して接続し、前記取り付けサポートフレームは、取り付け用の取り付け孔を有し、
前記第二セクション管状枠フレームの前端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム前端の、第二セクション管状枠フレーム前端への対応を確保することを特徴とする請求項２に記載の折り畳み構造を備えるトランポリン。
【請求項４】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第二セクション管状枠フレームのＵ字型取り付けサポートフレームは、前記第一セクション管状枠フレームのＵ字型取り付けサポートフレームの内側に設置され、こうして二対の取り付け孔は対応し、ボルト状物を通過させられることを特徴とする請求項３に記載の折り畳み構造を備えるトランポリン。
【請求項５】
前記第一セクション管状枠フレームの取り付けサポートフレームは、１組の固定孔を有し、固定栓を通して、第一セクション管状枠フレーム及び第二セクション管状枠フレームのＵ字型取り付けサポートフレームを緊密に固定し、こうして展開状態を呈することを特徴とする請求項４に記載の折り畳み構造を備えるトランポリン。
【請求項６】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項５に記載の折り畳み構造を備えるトランポリン。
【請求項７】
前記第一セクション管状枠フレームの後端には、取り付けサポートフレームを固定して接続し、前記取り付けサポートフレームは、取り付け用の取り付け孔を有し、
前記第二セクション管状枠フレームの後端には、取り付けサポートフレームを固定して接続し、前記取り付けサポートフレームは、取り付け用の取り付け孔を有し、
前記ボルト状物が挿入して接続できる２個の取り付けサポートフレームの取り付け孔は、第一セクション管状枠フレーム後端の、第二セクション管状枠フレーム後端への対応を確保することを特徴とする請求項６に記載の折り畳み構造を備えるトランポリン。
【請求項８】
前記第一セクション管状枠フレームの取り付けサポートフレームは、一対の取り付け孔を有するＵ字型サポートフレームで、
前記第二セクション管状枠フレームの取り付けサポートフレームも、一対の取り付け孔を有するＵ字型サポートフレームで、
前記第一セクション管状枠フレームのＵ字型取り付けサポートフレームは、前記第二セクション管状枠フレームのＵ字型取り付けサポートフレームの内側に設置され、こうして二対の取り付け孔は対応し、ボルト状物を通過させられることを特徴とする請求項７に記載の折り畳み構造を備えるトランポリン。
【請求項９】
前記第二セクション管状枠フレームの取り付けサポートフレームは、１組の固定孔を有し、固定栓を通して、第一セクション管状枠フレーム及び第二セクション管状枠フレームのＵ字型取り付けサポートフレームを緊密に固定し、こうして展開状態を呈することを特徴とする請求項８に記載の折り畳み構造を備えるトランポリン。
【請求項１０】
前記固定栓と固定孔は共に、ネジヤマを有し、
前記固定栓は、前記固定孔に螺入され両者は緊密に螺合され、管状枠フレームが緩み、展開状態から折り畳み状態へと変化することを防止することを特徴とする請求項９に記載の折り畳み構造を備えるトランポリン。
【請求項１１】
前記トランポリンは、管状枠フレームに連接する少なくとも３個のサポートフレームをさらに有し、トランポリン展開時のサポートを提供し、及びトランポリンとサポート平面の距離を離し、
前記各サポートフレームは、それぞれ中心へと折り畳まれ、しかも管状枠フレームと分離する必要はないことを特徴とする請求項１に記載の折り畳み構造を備えるトランポリン。
【請求項１２】
サポートフレームは、サポートフレームハブを通して、管状枠フレームの中心へとそれぞれ折り畳まれることを特徴とする請求項１１に記載の折り畳み構造を備えるトランポリン。
【請求項１３】
前記サポートフレームハブは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応して貫通し、
前記ボルトは、一対の取り付け孔と細長管の開口を通過することを特徴とする請求項１２に記載の折り畳み構造を備えるトランポリン。
【請求項１４】
前記取り付けサポートフレームは、Ｕ字型凹槽を有し、これによりサポートフレームは展開状態時にサポートフレームを凹槽内に入れることを特徴とする請求項１３に記載の折り畳み構造を備えるトランポリン。
【請求項１５】
前記サポートフレーム上端には、一対の螺合定位孔を有し、しかも栓を固定し、展開或いは折り畳み状態を形成させ、螺合定位孔の横軸と細長管とは平行で、しかもサポートフレーム上端に設置されることを特徴とする請求項１４に記載の折り畳み構造を備えるトランポリン。
【請求項１６】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項１５に記載の折り畳み構造を備えるトランポリン。
【請求項１７】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項１６に記載の折り畳み構造を備えるトランポリン。
【請求項１８】
折り畳み構造を備えるトランポリンは、堅固な円形管状枠フレーム、弾性を有するファブリックを有し、
前記弾性を有するファブリックは外へと延伸し、前記円形管状枠フレームに接続され、バウンスマットを形成し、
前記弾性を有するファブリックの辺縁は、列をなして並ぶベルトリングを有し、前記ベルトリングにはロープを通し引っ張り、前記弾性ファブリックを管状枠フレーム上でしっかりと引っ張るため、一般のトランポリンが必要とする金属スプリングが不要で、
前記管状枠フレームに連接する少なくとも３個のサポートフレームは、トランポリンが展開状態を呈する時のサポートを提供し、及びトランポリンとサポート平面の距離を離し、
トランポリン折り畳み時には、各サポートフレームは、それぞれ中心へと折り畳まれ、しかも管状枠フレームと分離する必要はないことを特徴とする折り畳み構造を備えるトランポリン。
【請求項１９】
前記各サポートフレームは、前記管状枠フレームの取り付けサポートフレーム上に連接され、
トランポリンの折り畳み時には、各サポートフレームは、それぞれ中心へと折り畳まれることを特徴とする請求項１８に記載の折り畳み構造を備えるトランポリン。
【請求項２０】
前記取り付けサポートフレームは、取り付けサポートフレーム、サポートフレーム、ボルトを有し、
前記取り付けサポートフレームは、管状枠フレーム上に固定して連接され、前記取り付けサポートフレームは、一対の取り付け孔を有し、
前記サポートフレーム上端には、開口を有する細長管を有し、前記細長管は、前記取り付けサポートフレームの取り付け孔間に設置され、これにより対応し、
前記ボルトは、取り付けサポートフレームの取り付け孔と細長管の開口を通過することを特徴とする請求項１９に記載の折り畳み構造を備えるトランポリン。
【請求項２１】
前記取り付けサポートフレームは、Ｕ字型凹槽を有し、これにより前記サポートフレームが展開状態を呈する時には、サポートフレームを凹槽内に入れることを特徴とする請求項２０に記載の折り畳み構造を備えるトランポリン。
【請求項２２】
前記取り付けサポートフレーム上端には、一対の螺合定位孔を有し、これにより栓を固定し、サポートフレームを展開状態或いは折り畳み状態に固定し、螺合定位孔横断面と細長管とは平行で、取り付けサポートフレーム上端に設置されることを特徴とする請求項２１に記載の折り畳み構造を備えるトランポリン。
【請求項２３】
前記取り付けサポートフレームには、一対の螺合定位孔を有し、しかもサポートフレームが展開状態を呈すると、それとサポートフレーム上の螺合定位孔は重なって連接し、こうして栓を挿入し、サポートフレームを展開の状態に固定することを特徴とする請求項２２に記載の折り畳み構造を備えるトランポリン。
【請求項２４】
前記取り付けサポートフレームは、もう一対の螺合定位孔を有し、しかもサポートフレームが折り畳み状態を呈すると、それとサポートフレーム上螺合定位孔は重なってつながり、こうして栓を挿入し、サポートフレームを折り畳みの状態に固定することを特徴とする請求項２３に記載の折り畳み構造を備えるトランポリン。